(57)【要約】【課題】目地部分以外の部分を現場で切断しないで外装材を建具枠に隣接して取り付けることが可能となる目板の取付構造を提供する。【解決手段】建物の壁体４１ａに設けられた建具枠２の上側又は下側の壁体４１ａに取り付けられ横目地１ａを有する外装材１と建具枠２との間に設けられる目板の取付構造であって、目板３は、その上端縁３ａ又は下端縁が外装材１の横目地１ａに合うようにして、壁体４１ａに取り付けられている。【選択図】図２
2005220696.tif 000002
【特許請求の範囲】
【請求項１】
建物の壁体に設けられた建具枠の上側又は下側の該壁体に取り付けられ、横目地を有する外装材と前記建具枠との間に設けられる目板の取付構造であって、
前記目板は、その上端縁又は下端縁が前記外装材の横目地に合うようにして、前記壁体に取り付けられていることを特徴とする目板の取付構造。
【請求項２】
前記目板は、前記建具枠と同色であることを特徴とする請求項１に記載の目板の取付構造。
【請求項３】
前記目板は、前記建具枠の幅寸法と同じ長さ寸法であることを特徴とする請求項１又は２に記載の目板の取付構造。
【請求項４】
前記目板の表面が前記建具枠の表面と面一となっていることを特徴とする請求項１〜３のいずれか一項に記載の目板の取付構造。
【請求項５】
前記外装材がタイル付き外装材であることを特徴とする請求項１〜４のいずれか一項に記載の目板の取付構造。
【発明の詳細な説明】
【技術分野】
【０００１】
本発明は、横目地を有する外装材を建具枠に隣接して取り付ける場合に用いられる目板の取付構造に関する。
【背景技術】
【０００２】
従来、複数の縦目地及び横目地を有するタイル付き外装材が建具枠に隣接して壁体に取り付けられた住宅が開示されている（例えば、特許文献１参照）。
【特許文献１】特開２００２−１８０６３９号公報
【発明の開示】
【発明が解決しようとする課題】
【０００３】
ところで、タイル付き外装材は、模様なしの外装材の表面に粘土焼成品たるタイルを取り付けてなるものであり、目地部分を現場で容易に切断し得るものの、硬いタイル部分を切断することは実際上かなり困難である。加えて、タイル部分が切断されたタイル付き外装材は、外観上の見栄えも良くない。
ここで、タイル付き外装材は、壁体の高さ方向の所定の位置に取り付けられるので、タイル付き外装材の横目地の位置も、壁体の高さ方向の所定の位置に決まってしまう。これに対して、建具枠の位置や大きさは、施主の要望や設計条件などによって個別的に定まってくることから、建具枠の上端縁又は下端縁の位置は、壁体の高さ方向において一定とならない。
したがって、建具枠の上端縁又は下端縁と外装材の横目地とが不可避的にずれる場合があり、目地部分以外のタイル部分を現場で切断しなければならない場合も少なくない。
【０００４】
そこで、本発明の課題は、目地部分以外の部分を現場で切断しないで外装材を建具枠に隣接して取り付けることが可能となる目板の取付構造を提供することにある。
【課題を解決するための手段】
【０００５】
上記課題を解決するため、請求項１に記載の発明は、例えば図２に示すように、建物の壁体４１ａに設けられた建具枠２の上側又は下側の壁体４１ａに取り付けられ、横目地１ａを有する外装材１と建具枠２との間に設けられる目板の取付構造であって、目板３は、その上端縁３ａ又は下端縁が外装材１の横目地１ａに合うようにして、壁体に取り付けられていることを特徴としている。
【０００６】
請求項１に記載の発明によれば、建具枠２の上端縁とタイル付き外装材１３の横目地１ａとが不可避的にずれる場合でも、建具枠２と外装材１との間に設けられる目板３によってそのずれを吸収できるので、目地部分１１以外の部分を現場で切断しないで外装材１を建具枠２に隣接して取り付けることが可能となる。
【０００７】
したがって、現場での施工性の向上を図ることが可能となり、加えて、外観上の見栄えを良くすることも可能となる。
【０００８】
また、請求項２に記載の発明は、例えば請求項１に記載の目板の取付構造において、目板３は、建具枠２と同色であることを特徴としている。
【０００９】
請求項２に記載の発明によれば、建具枠２との一体感が増すため、外観上の見栄えをさらに良くすることが可能となる。
【００１０】
さらに、請求項３に記載の発明は、例えば図２に示すように、請求項１又は２に記載の目板の取付構造において、目板３は、建具枠２の幅寸法と同じ長さ寸法であることを特徴としている。
【００１１】
請求項３に記載の発明によれば、建具枠２との一体感がさらに増して渾然一体となるため、外観上の見栄えをさらに一層良くすることが可能となる。
【００１２】
さらにまた、請求項４に記載の発明は、例えば図２に示すように、請求項１〜３のいずれか一項に記載の目板の取付構造において、目板３の表面が建具枠２の表面と面一となっていることを特徴としている。
【００１３】
請求項４に記載の発明によれば、建具枠２との一体感がさらに増して渾然一体となるため、外観上の見栄えをさらに一層良くすることが可能となる。
【００１４】
また、請求項５に記載の発明は、例えば請求項１〜４のいずれか一項に記載の目板の取付構造において、外装材１がタイル付き外装材１３であることを特徴としている。
【００１５】
請求項５に記載の発明によれば、硬く切断が困難なタイル部分１２を現場で切断しないで外装材１を建具枠２に隣接して取り付けることができるので、現場での大幅な施工性の向上を図ることが可能となる。
【発明の効果】
【００１６】
本発明に係る目板の取付構造によれば、目地部分以外の部分を現場で切断しないで外装材を建具枠に隣接して取り付けることができ、現場での施工性の向上を図ることが可能となり、加えて、外観上の見栄えを良くすることも可能となる。
【００１７】
また、目板を建具枠と同色にすれば、建具枠との一体感が増し、外観上の見栄えをさらに良くすることが可能となる。
【００１８】
さらに、目板を建具枠の幅寸法と同じ長さ寸法にすれば、建具枠との一体感がさらに増して渾然一体となり、外観上の見栄えをさらに一層良くすることが可能となる。
【００１９】
さらにまた、目板の表面を建具枠の表面と面一にすれば、建具枠との一体感がさらに増して渾然一体となり、外観上の見栄えをさらに一層良くすることが可能となる。
【００２０】
また、外装材をタイル付き外装材にすれば、硬く切断が困難なタイル部分を現場で切断しないで外装材を建具枠に隣接して取り付けることが可能となり、現場での大幅な施工性の向上を図ることが可能となる。
【発明を実施するための最良の形態】
【００２１】
以下、添付図面に基づいて本発明の実施の形態を詳細に説明する。
【００２２】
なお、ここでは、複数の縦目地及び横目地を有するタイル付き外装材を建具枠に隣接して取り付ける場合ついて説明するが、これに限られるものではない。すなわち、本発明は、横目地を有する外装材である限り、例えばタイル調模様付き外装材やタイル調模様が付されないものの横目地を有する外装材を建具枠に隣接して取り付ける場合でも、適用可能である。
【００２３】
また、建具枠の上側の壁体に取り付けられる目板の取付構造について説明するが、これに限られるものではない。すなわち、本発明は、建具枠の下側の壁体に取り付けられる目板の取付構造についても、適用可能である。
【００２４】
図１は本発明の一実施の形態に係る目板の取付構造の全体構成を示す正面図、図２は同目板の取付構造の全体構成を示す斜視図、図３は同目板の取付構造の部分構成を示す断面図である。
【００２５】
本実施の形態において、目板の取付構造は、図１及び図２に示すように、外装材１を建具枠２に隣接して取り付ける場合に用いられるものとして構成されている。
【００２６】
そして、この目板の取付構造は、これらの図に示すように、建具枠２と外装材１との間に目板３をその上端縁たる上面３ａが外装材１の横目地１ａに合うように設けるものとして構成されている。
【００２７】
本実施の形態において、建具枠２は、これらの図に示すように、パネル工法により構築される建物たる住宅４１の壁体たる外周壁４１ａに設けられた開口部４１ｂを構成する部材として構成されている。
【００２８】
なお、パネル工法は、壁や床、屋根といった建物の構成部材を予め工場製作段階において基本となる平面寸法を用いてパネル化しておき、現場施工段階においてこれらのパネルを組み立てるという工法である。
【００２９】
また、外装材１は、建具枠２の上側の外周壁４１ａ（図示外）に取り付けられるものとして構成されている。
【００３０】
具体的には、この外装材１としては、これらの図に示すように、複数の縦目地及び横目地１ａを有するものとして構成されている。
【００３１】
ここで、外装材１としては、目地部分１１を現場で容易に切断し得るものの、硬いタイル部分１２を切断することは実際上かなり困難であるという特質を有するタイル付き外装材１３が用いられている（図１及び図２参照）。
【００３２】
これにより、硬く切断が困難なタイル部分１２を現場で切断しないで外装材１を建具枠２に隣接して取り付けることが可能となっており、その結果、現場での大幅な施工性の向上を図ることが可能となっている。
【００３３】
具体的には、このタイル付き外装材１３は、模様なしの外装材１の表面に粘土焼成品たるタイルを取り付けてなるものとして構成されている。
【００３４】
ここで、外周壁４１ａの表面に、防水シート５１と防水シート５１の上から胴縁６１と胴縁６１の上からタイル付き外装材１３とが取り付けられており、タイル付き外装材１３は、防水シート５１及び胴縁６１を介して外周壁４１ａに取り付けられている。
【００３５】
すなわち、本実施の形態において、目板の取付構造は、これらの図に示すように、外装材１と建具枠２との間に設けられる目板３が、その上面３ａが外装材１の横目地１ａに合うようにして、外周壁４１ａに取り付けられているものとして構成されている。
【００３６】
したがって、一方では、タイル付き外装材１３の横目地１ａの位置が外周壁４１ａの高さ方向の所定の位置に決まってしまい、他方では、建具枠２の上端縁の位置が外周壁４１ａの高さ方向において一定とならない結果、建具枠２の上端縁とタイル付き外装材１３の横目地１ａとが不可避的にずれる場合でも、建具枠２と外装材１との間に設けられる目板３によってこのズレを吸収できるので、目地部分１１以外のタイル部分１２を現場で切断しないで外装材１を建具枠２に隣接して取り付けることが可能となっている。
【００３７】
また、硬いタイル部分１２を現場で切断する作業の困難さ、煩雑さが確実に回避されることになり、その結果、現場での施工性の向上を十分に図ることが可能となっている。
【００３８】
加えて、外観を損ない意匠上問題となるタイル部分１２の切断が確実に回避されることになり、その結果、外観上の見栄えを良くすることも可能となっている。
【００３９】
本実施の形態において、目板３は、図３に示すように、裏側に設けられた鍔状の取付部３１を有している。そして、この取付部３１を外周壁４１ａの壁面に当接させてネジ３１ｃを打ち込むことにより、目板３は、外周壁４１ａに取り付けられている。
【００４０】
ここで、外周壁４１ａの防水シート５１と目板３の上面３ａとの間及び目板３の下面３ｂと建具枠２の上面２ａとの間に対しては、以下のような防水構造が採用されている。
【００４１】
つまり、防水シート５１が、その側端部が外周壁４１ａの側端部から延出するようにして、外周壁４１ａに取り付けられている。そして、一方では、防水シート５１と建具枠２の上面２ａとの取り合いに対しては、十分な幅寸法をもつ第二の防水テープ５３が上側から水密に接着されている。また、他方では、防水シート５１と目板３の取付部３１との取り合いに対しては、十分な幅寸法をもつ第一の防水テープ５２が上側から水密に接着されている。
【００４２】
ここで、第一の防水テープ５２は、目板３を外周壁４１ａに取り付ける前に施され、第二の防水テープ５３は、目板３を外周壁４１ａに取り付ける後に施される。
【００４３】
なお、タイル付き外装材１３と目板３の上面３ａとの間には、水密材５４がタイル付き外装材１３と目板３の上面３ａとに密接して設けられている。
【００４４】
これにより、雨水が目板３の裏側や建具枠２と外周壁４１ａとの隙間に周り込む事態が確実に回避されることになり、その結果、雨仕舞いで弱点となり易い建具枠２の周りに対して確実な防水性が得られることになっている。
【００４５】
また、目板３は、図示しないが、建具枠２と同色になっている。
【００４６】
これにより、建具枠２との一体感が増すことになり、その結果、外観上の見栄えをさらに良くすることが可能となっている。
【００４７】
さらに、目板３は、これらの図に示すように、建具枠２の幅寸法と同じ長さ寸法になっており、加えて、目板３の表面が、建具枠２の表面と面一となっている。
【００４８】
これにより、建具枠２との一体感がさらに増して渾然一体となり、その結果、外観上の見栄えをさらに一層良くすることが可能となっている。
【図面の簡単な説明】
【００４９】
【図１】本発明の一実施の形態に係る目板の取付構造の全体構成を示す正面図である。
【図２】本発明の一実施の形態に係る目板の取付構造の全体構成を示す斜視図である。
【図３】本発明の一実施の形態に係る目板の取付構造の部分構成を示す断面図である。
【符号の説明】
【００５０】
１ 外装材
１ａ 横目地
２ 建具枠
２ａ 上端縁
３ 目板
３ａ 上端縁
３ｂ 下端縁
１１ 目地部分
１２ タイル部分
１３ タイル付き外装材
３１ 取付部
４１ 住宅
４１ａ 外周壁
４１ｂ 開口部
【図１】
2005220696.tif 000003
【図２】
2005220696.tif 000004
【図３】
2005220696.tif 000005